(57)【要約】【課題】単純な構造ではね出しバルコニーまたはオーバーハングの強度を向上し得て、出幅を大きくすることへの適用性を向上させることのできるはね出し床の補強構造を提供することを目的とする。【解決手段】床パネルをその幅方向に複数敷設するとともに、自身の端部を外壁の外側より突出させて突出部分をバルコニーまたはオーバーハングとしたはね出し床の補強構造であって、隣接する床パネルの間に、床パネルと高さおよび長さの等しい補強まぐさを介在配置した。【選択図】  図１
2004190292.tif 000002
【特許請求の範囲】
【請求項１】
床パネルをその幅方向に複数敷設するとともに、自身の端部を外壁の外側より突出させて突出部分をバルコニーまたはオーバーハングとしたはね出し床の補強構造であって、
隣接する床パネルの間には、床パネルと高さおよび長さの等しい補強まぐさが介在配置されていることを特徴とするはね出し床の補強構造。
【請求項２】
請求項１に記載のはね出し床の補強構造であって、
床パネルは芯材が矩形枠状に組まれた枠体と、当該枠体の上面に貼設された面材とからなり、かつ床パネルどうしは芯材を貫通するボルトとこのボルトに螺合されるナットとによって固定されていることを特徴とするはね出し床の補強構造。
【請求項３】
階下側の外壁の上辺に複数載置される床パネルの端部をさらに前記外壁の外側に突出させて突出部分をバルコニーまたはオーバーハングとしたはね出し床の補強構造であって、
前記床パネルは、縦芯材および横芯材を矩形枠状に組んでなる枠体と、当該枠体の上面に貼設された面材とからなり、かつ、隣接する床パネル間には、床パネルの高さと長さに等しい補強まぐさが介在配置されていることを特徴とするはね出し床の補強構造。
【請求項４】
請求項３に記載のはね出し床の補強構造であって、
補強まぐさは、１枚または複数枚置きに配置された床パネル間に配置され、かつ、床パネルおよび補強まぐさは床パネルの縦芯材および補強まぐさを貫通するボルトとこのボルトに螺合されるナットとによって固定されていることを特徴とするはね出し床の補強構造。
【発明の詳細な説明】
【０００１】
【発明の属する技術分野】
本発明は建築物の二階以上の階の外壁外側に設けるルーフバルコニー、オーバーハングなどに適用されて好適なはね出し床の補強構造に関する。
【０００２】
【背景の技術】
二階建て以上の建築物においては、例えば図３に示すように、階下側の外壁１０１の上辺に載る階上の床パネル１０２のうち、ルーフバルコニーまたはオーバーハング１０３の配置範囲について、はね出し床専用パネル１０４を用いることがある。これはルーフバルコニーまたはオーバーハング１０３の幅分だけ床パネル１０２を長くして外壁１０１の外側に向かう延長部分（突出部分）１０５を備えたものである。
【０００３】
ところで、住宅のバルコニーまたはオーバーハングにおいては、出幅を大きくすることを要求されることがあり、このような場合に図３に示すように、床パネルの一部を突出させて床パネルを片持ち構造とすることから、強度的な制限を受けて、バルコニーの出幅を大きく取れない等の課題がある。
【０００４】
また、バルコニーの排水溝をとるための施工性を向上させるため床パネルの突出部分を加工したりすることを要求される場合にも、床パネルの突出部分が切り欠かれるために床パネルを補強することが必要になる。
【０００５】
そこで、従来では、例えば、特許文献１に開示されるように、床パネルの突出部分の芯材に沿って金属製の補強板を装着する技術が開示されている。
【０００６】
これは、床パネルの突出する片持ち部分の芯材に金属板製の補強板を装着することで、片持ち梁の付け根部分を強力に補強するものである。
ところが、このような補強構造では、金属製板を装着することから、その取り合い構造が複雑化するとともに、コスト的にも解決すべき課題が残されている。しかも、バルコニーの出幅を大きくしようとすると、金属製板も大型化してしまうなどの解題もある。
【０００７】
【特許文献１】
特開平５−１３２９９７号公報
【０００８】
【発明が解決しようとする課題】
本発明は、前述した背景に基づいてなされたもので、その目的とするところは、単純な構造ではね出し床の強度を向上し得て、バルコニーの出幅を大きくすることへの適用性を向上させることのできるはね出し床の補強構造を提供することにある。
【０００９】
【課題を解決するための手段】
請求項１にかかる発明は、床パネルをその幅方向に複数敷設するとともに、自身の端部を外壁の外側より突出させて突出部分をバルコニーまたはオーバーハングとしたはね出し床の補強構造であって、隣接する床パネルの間に、床パネルと高さおよび長さの等しい補強まぐさを介在配置した。
【００１０】
このような発明によれば、はね出し床を構成する床パネルの間に補強まぐさが介在配置されているので、この補強まぐさにより、床全体の剛性が大きくなり、外壁の外側より突出させた構造のはね出し床にあっても、金属製板等で特別に床パネルを補強することなく、バルコニーの出幅を大きくすることへの適用性を向上することができる。
またパネル間に補強まぐさを並べて配置する構成のため、補強のために、床パネルへの加工も必要がない。
【００１１】
また、請求項１にかかる発明のはね出し床の補強構造において、床パネルを、芯材により矩形枠状に組まれた枠体と、当該枠体の上面に貼設された面材とから構成し、かつ床パネルどうしを芯材を貫通するボルトとこのボルトに螺合されるナットとによって固定する構成とすれば、床パネル同士の連結作業をボルト・ナットの接合作業で行うことができ、現場での作業を省力化する上で好ましい。
【００１２】
さらに、請求項３にかかる発明は、階下側の外壁の上辺に複数載置される床パネルの端部をさらに前記外壁の外側に突出させて突出部分をバルコニーまたはオーバーハングとしたはね出し床の補強構造であって、前記床パネルを、縦芯材および横芯材を矩形枠状に組んでなる枠体と、当該枠体の上面に貼設された面材とから構成し、かつ、隣接する床パネル間に、床パネルの高さ長さの等しい補強まぐさを介在配置したものである。
【００１３】
このような発明によれば、床パネルが、矩形枠状の枠体と面材とから構成されていて、この床パネルの間に床パネルの高さと長さの等しい補強まぐさを介在配置するため、床パネル間に実質３本の芯材が配置された構成となって、床パネル全体の剛性を大きくすることができる。
また、補強まぐさは、床パネルと高さが等しいため、補強まぐさを床パネル間に配置しても、この部分に段差ができるようなことがなく、床パネルの縦芯材に沿って、補強まぐさを配置することで、床パネルは強力に補強される。
そして、前記のように、床パネルの縦芯材に沿って補強まぐさを配置し、この補強まぐさを床パネル間に挟む作業より、床の補強構造を構築することができるので、その組立て作業も簡単に行うことができる。
【００１４】
また、請求項３に記載のはね出し床の補強構造において、補強まぐさは、１枚または複数枚置きに配置された床パネル間に配置するようにしても良く、また、床パネルおよび補強まぐさを、床パネルの縦芯材および補強まぐさを貫通するボルトとこのボルトに螺合されるナットとによって固定するようにすれば、床を補強する上でより十分な補強が図られ、また床パネル同士の連結作業をボルト・ナットの接合作業で行うことができるので、現場での作業を省力化することが可能になる。
【００１５】
【発明の実施の形態】
以下、本発明の実施の形態を図面に基づいて説明する。
図１は、本発明にかかるはね出し床を示す斜視図である。
この実施の形態では、本発明を住宅のはね出し床（ルーフバルコニーまたはオーバーハング）に適用した例を示す。
【００１６】
図１に示すように、本実施例のはね出し床の補強構造は、階下側の外壁１の上辺に載る階上側の床パネル２の一部を住宅の外壁１より突出させた構造の片持ちバルコニーまたはオーバーハングに適用するものである。
詳細には、床パネル２の一部を外壁１の外側に延長して、延長部分全体をバルコニーまたはオーバーハングＢとして構成する。このバルコニーまたはオーバーハングＢは、同じ大きさの床パネル２を幅方向（図２左右方向）に並べて、ボルト１０とナット１１とにより床パネル同士を接合してなるもので、実施例では、隣接する床パネル２の間には、床パネル２と高さＨおよび長さの等しい補強まぐさ５が介在配置されている。
【００１７】
前記床パネル２は、芯材２ａが矩形枠状に組まれた枠体と、当該枠体の上面に貼設された面材２ｂとからなり、また補強まぐさ５は、床パネル２の高さＨ（実施例では、縦芯材２ａと面材２ｂを足した長さ）と長さの等しい角材により構成されている。
なお、この補強まぐさ５を構成する角材は、床パネル２の縦芯材２ａの厚みＤのほぼ２倍の大きさの幅を持ち、バルコニー全体の剛性を高めているとともに、２枚置きに配置された床パネル２間に配置された構造となっている。そして、この床パネル２および補強まぐさ５は床パネル２の縦芯材２ａおよび補強まぐさ５を貫通するボルト１０とこのボルト１０に螺合されるナット１１とによって固定されるとともに、補強まぐさ５、床パネル２はそれぞれ接着材により接着されて一体化されることは言うまでもない。
【００１８】
次に、上記のような構成を有するはね出し床の作用について説明する。
図１および図２などに示すようにはね出し床を構築するには、階下側の壁パネル１の上側に床パネル２を敷設していく。そして、２枚の床パネル２に対して１つの補強まぐさ５を床パネル２間に介在するようにして配置し、これら床パネル２と補強まぐさ５を接着材により接着するとともにボルト１０を床パネル２の縦芯材２ａと補強まぐさ５を貫通するようにしてナット１１と螺合する。
【００１９】
本実施例では、このような構成を有することによって、従来の技術において使用された金属製補強板等が不要となる。すなわち、本実施例のはね出し床の補強構造においては、床パネル２が、矩形枠状の枠体２ａと面材２ｂとから構成されていて、この床パネル２の間に床パネル２の高さと長さの等しい補強まぐさ５が介在配置されるため、床パネル２間に実質３本の芯材２ａ、５が配置された構成となって、床全体の剛性を大きくすることができる。
【００２０】
また、補強まぐさ５は、床パネル２と高さが等しいため、補強まぐさ５を床パネル２間に配置しても、この部分に段差ができるようなことがなく、床パネル２の縦芯材２ａに沿って、補強まぐさ５を配置することで、床パネル２は強力に補強される。
そして、前記のように、床パネル２の縦芯材２ａに沿って補強まぐさ５を配置し、この補強まぐさ５を床パネル２、２間に挟む作業より、床の補強構造を構築することができるので、その組立て作業も簡単に行うことができる。
【００２１】
なお、上記実施の形態では、補強まぐさ５を床パネル２の２枚置きに介在配置する例を示したが、本発明のこのような実施例に限定されるものではなく、１枚の床パネル２間に介在配置しても良く、また３枚あるいは４枚置きに介在配置しても良く、発明の要旨を変更しない限りにおいては、設計上実施例に限定されるものではない。
また、上記実施例では、木質パネル構法に本発明を適用したが、在来軸組の住宅、２×４住宅、ユニット住宅等種々の工法にも適用できることは言うまでもない。
【００２２】
【発明の効果】
以上のように、本発明によれば、単純な構造ではね出しバルコニーまたはオーバーハングの強度を向上し得て、出幅を大きくすることへの適用性を向上させることのできるはね出し床の補強構造を提供することができる。
【図面の簡単な説明】
【図１】本発明の実施の形態に係るはね出し床を示す斜視図である。
【図２】本発明の実施の形態に係るはね出し床の断面図である。
【図３】従来のはね出し床の構造を示す断面図である。
【符号の説明】
１      外壁
２      床パネル
２ａ    縦芯材
２ｂ    面材
５      補強まぐさ
１０    ボルト
１１    ナット
【図１】
2004190292.tif 000003
【図２】
2004190292.tif 000004
【図３】
2004190292.tif 000005